(57)【要約】【課題】急勾配の法面における作業者の負担を軽減できる植生マットと法面緑化方法を提供する。【解決手段】イソシアネート基末端プレポリマーを水と反応させて得られたウレタン発泡体に、有機物質と土壌成分が８０：２０〜２０：８０の重量比率で含まれた構成の植生マット１０とし、前記植生マット１０の裏面１１には凹部１３を設け、前記植生マット１０の表面１７には前記凹部１３に通じる貫通穴１９を設けると共に、前記植生マット１０の側面２１から前記凹部１３及び貫通穴１９に通じる切れ込み２３を形成して、前記切れ込み２３を介して植物の根元部及び茎部を前記凹部１３及び貫通穴１９に収容可能にした。【選択図】        図１
2004229505.tif 000002
【特許請求の範囲】
【請求項１】
ウレタン発泡体に有機物質が分散してなる植生マット。
【請求項２】
前記ウレタン発泡体は、イソシアネート基末端プレポリマーを水と反応させて得られたものであることを特徴とする請求項１に記載の植生マット。
【請求項３】
前記ウレタン発泡体には、有機物質と土壌成分が８０：２０〜２０：８０の重量比率で含まれていることを特徴とする請求項１又は２に記載の植生マット。
【請求項４】
前記植生マットの裏面には凹部が設けられ、前記植生マットの表面には前記凹部に通じる貫通穴が形成されていることを特徴とする請求項１から３の何れか一項に記載の植生マット。
【請求項５】
前記貫通穴の内径が前記凹部の内径よりも小であることを特徴とする請求項４に記載の植生マット。
【請求項６】
前記植生マットには側面から前記凹部及び前記貫通穴に通じる切れ込みが形成されていることを特徴とする請求項４又は５に記載の植生マット。
【請求項７】
前記貫通穴は植物の茎部が収容可能とされ、前記凹部は植物の根元部が収容可能とされたことを特徴とする請求項４から６の何れか一項に記載の植生マット。
【請求項８】
前記植生マットの裏面に対し、前記凹部及び前記貫通穴が互いに同一方向へ傾斜していることを特徴とする請求項４から７の何れか一項に記載の植生マット。
【請求項９】
前記植生マットの裏面は法面への載置面とされ、前記凹部及び前記貫通穴は、前記植生マットが法面へ載置された際に前記植生マットの裏面から表面へ上向きとなるように形成されていることを特徴とする請求項８に記載の植生マット。
【請求項１０】
前記切れ込みを通って前記貫通穴へ植物の茎部が収容された後及び前記凹部へ植物の根元部が収容された後に、前記切れ込みの形成されている側面に、かすがいが前記切れ込みの先端を跨ぐように打ち込まれて、前記切れ込みの拡開が防止されることを特徴とする請求項６から９の何れか一項に記載の植生マット。
【請求項１１】
請求項１から１０の何れか一項に記載の植生マットを、前記植生マットの裏面が法面側となるようにし、前記植生マットで植物の根元部が覆われるようにして前記法面に載置し固定することを特徴とする法面の緑化方法。
【発明の詳細な説明】
【０００１】
【発明の属する技術分野】
この発明は、植生マット及びそれを用いる法面の緑化方法に関する。
【０００２】
【従来の技術】
高速道路等の設置工事によって生じる切土の法面（傾斜地）は、法面の乱開発を防止すると共に、用地買収費用の軽減等を目的として急勾配化する傾向にあり、３０度以上の傾斜とされることが一般的である。しかし、前記法面を急勾配にした場合、法面が崩落する可能性が高くなる。これを防ぐためにコンクリート等を打ち付け、法面を被覆することが行われている。また、前記法面を緑化することが環境保全、国の緑化政策等から求められており、コンクリートの法枠内に植物（樹木の苗木等）を植生することが行われている。
【０００３】
法面の緑化方法として、植物を法面上の植え付け場所まで搬送し、その場所の土を掘り起こして植物を直接植え付けることが考えられる。しかし、植物を法面上の植え付け場所まで搬送し、土を掘り起こして植え付ける作業は、手間が掛かる問題がある。さらに、前記のように急勾配の法面にあっては、作業者は安全のために命綱を付けて植物の搬送及び土掘り作業をしなければならず、負担が多い。又、法面を金網で覆った後に種子（芝、樹木等）を吹き付ける方法もあるが、種子の吹き付けはコストが高く、しかも種子の発芽が不安定であると共に導入植物の選定に制限がある。
【０００４】
このような事情から、土壌が詰められ且つ植物の根が貫通可能な植生袋（土嚢）を法面の植物植え付け場所まで搬送し、アンカーピンで固定することが提案されている（例えば特許文献１，２等参照。）。前記植生袋（土嚢）に植えられた植物は成長と共に根が植生袋（土嚢）を破り、法面で根付く。
【０００５】
【特許文献１】
特開２００２−３８４８７号公報
【特許文献２】
特開２００１−７３３７５号公報
【０００６】
【発明が解決しようとする課題】
しかし、前記土壌が詰められた植生袋（土嚢）は約２０ｋｇの重さがあり、急勾配の法面において命綱を付けて植生袋（土嚢）を運ぶ作業は、相変わらず作業者に対する負担が大きい問題がある。
【０００７】
この発明は前記の点に鑑みなされたもので、急勾配の法面における作業者の負担を軽減でき、しかも植物が法面で根付き易い軽量な植生マットと法面緑化方法の提供を目的とする。
【０００８】
【課題を解決するための手段】
請求項１の発明は、ウレタン発泡体に有機物質が分散してなる植生マットに係る。
【０００９】
請求項２の発明は、請求項１において、前記ウレタン発泡体が、イソシアネート基末端プレポリマーを水と反応させて得られたものであることを特徴とする。
【００１０】
請求項３の発明は、請求項１又は２において、前記ウレタン発泡体には、有機物質と土壌成分が８０：２０〜２０：８０の重量比率で含まれていることを特徴とする。
【００１１】
請求項４の発明は、請求項１から３の何れか一項において、前記植生マットの裏面には凹部が設けられ、前記植生マットの表面には前記凹部に通じる貫通穴が形成されていることを特徴とする。
【００１２】
請求項５の発明は、請求項４において、前記貫通穴の内径が前記凹部の内径よりも小であることを特徴とする。
【００１３】
請求項６の発明は、請求項４又は５において、前記植生マットには側面から前記凹部及び前記貫通穴に通じる切れ込みが形成されていることを特徴とする。
【００１４】
請求項７の発明は、請求項４から６の何れか一項において、前記貫通穴が植物の茎部を収容可能とされ、前記凹部が植物の根元部を収容可能とされたことを特徴とする。
【００１５】
請求項８の発明は、請求項４から７の何れか一項において、前記植生マットの裏面に対し、前記凹部及び前記貫通穴が互いに同一方向へ傾斜していることを特徴とする。
【００１６】
請求項９の発明は、請求項８において、前記植生マットの裏面は法面への載置面とされ、前記凹部及び前記貫通穴は、前記植生マットが法面へ載置された際に前記植生マットの裏面から表面へ向かう上向きとなるように形成されていることを特徴とする。
【００１７】
請求項１０の発明は、請求項６から９の何れか一項において、前記切れ込みを通って前記貫通穴へ植物の茎部が収容された後及び前記凹部へ植物の根元部が収容された後に、前記切れ込みの形成されている側面に、かすがいが前記切れ込みの先端を跨ぐように打ち込まれて、前記切れ込みの拡開が防止されることを特徴とする。
【００１８】
請求項１１の発明は、請求項１から１０の何れか一項に記載の植生マットを、前記植生マットの裏面が法面側となるようにし、前記植生マットで植物の根元部が覆われるようにして前記法面に載置し固定することを特徴とする法面の緑化方法に係る。
【００１９】
【発明の実施の形態】
以下添付の図面に従ってこの発明を詳細に説明する。図１はこの発明に係る一実施形態の植生マットの斜視図、図２は図１の２−２切断端面図、図３は図１の３−３切断端面図、図４は図１の植生マットを法面に載置固定した状態の断面図、図５は図４の載置固定状態における植生マットを示す斜視図である。
【００２０】
図１から図３に示すこの発明の一実施形態に係る植生マット１０は、図４及び図５に示すように高速道路等の設置工事により生じた切土の法面（傾斜地）４０を緑化するために、前記法面４０に載置固定されるものである。
【００２１】
前記植生マット１０は、ウレタン発泡体に有機物質が分散してなる所要サイズの平板状からなる。この例では、４０ｃｍ×４０ｃｍ×１０ｃｍの平面視正方形の板状体からなる。なお、前記植生マット１０の裏面１１は、前記法面４０への載置面とされる。
【００２２】
前記ウレタン発泡体は、イソシアネート基末端プレポリマーを水と反応させて得られたもの（いわゆる水ウレタン）からなる。前記組成からなるウレタン発泡体は、軽量であり、しかも保水性が良好であり、降雨等の水分を保持して植物に必要な水分を供給するのに好都合のものである。
【００２３】
前記イソシアネート基末端プレポリマーは、有機イソシアネートとポリオールとから、公知のプレポリマー製造方法にしたがって合成されたものである。前記イソシアネート基末端プレポリマーは、公知の市販品を使用するのが簡便である。
【００２４】
前記イソシアネート基末端プレポリマーの製造に使用される有機イソシアネートとしては、芳香族イソシアネート、脂肪族イソシアネート、脂環族イソシアネート、それらの変性物等を挙げることができる。前記芳香族イソシアネートとしては、２，４−トリレンジイソシアネート、２，６−トリレンジイソシアネート、キシレン−１，４−ジイソシアネート、キシレン−１，３−ジイソシアネート、４，４’−ジフェニルメタンジイソシアネート、ポリフェニレンポリメチレンポリイソシアネート、４，４’−ジフェニルエーテルジイソシアネート、２，２’−ジフェニルプロパン−４，４’−ジイソシアネート、３，３’−ジメチルジフェニルメタン−４，４’−ジイソシアネート、４，４’−ジフェニルプロパンジイソシアネート、ｍ−フェニレンジイソシアネート、ｐ−フェニレンジイソシアネート、ナフチレン−１，５−ジイソシアネート、３，３’−ジメトキシジフェニル−４，４’−ジイソシアネート等を挙げることができる。また、前記脂肪族イソシアネートとしては、テトラメチレンジイソシアネート、ヘキサメチレンジイソシアネート、リジンジイソシアネート等が挙げられる。脂環族イソシアネートとしては、イソホロンジイソシアネート、水添加トリレンジイソシアネート、水添加キシレンジイソシアネート、水添加ジフェニルメタンジイソシアネート、テトラメチルキシレンジイソシアネート等が挙げられる。
【００２５】
前記イソシアネート基末端プレポリマーの製造に使用されるポリオールとしては、ポリエーテル系、ポリエステル系、ポリカプロラクトン系、ポリカーボネート系等、公知のものを使用できる。
【００２６】
さらに、前記イソシアネート基末端プレポリマーの製造に際して、反応性調整剤や酸化防止剤等の安定剤、添加剤を添加しても差し支えない。また、水との相溶性を改善するために整泡剤が適宜使用されることもある。整泡剤としては通常のウレタンフォームに使われる界面活性剤を使用することができ、特には植生に悪影響を与えないものとし、ノニオン系界面活性剤が好ましい。
【００２７】
また、触媒が使用されることもある。前記触媒としては、ウレタンの発泡・硬化を促進するものであればよく、公知の金属触媒やアミン触媒が使用できる。特にはアミン触媒が好ましい。金属触媒としては、ジブチル錫ジラウレート、ジブチル錫ジアセテート、オクトエート鉛等を挙げることができる。アミン触媒としては、エチレンジアミン、トリエチレンジアミン、ピリジン、Ｎ−メチルモルフォリン等を挙げることができる。前記水としては、通常の水、純水あるいはイオン交換水が使用される。
【００２８】
また、前記ウレタン発泡体を所望の物性とするため、必要に応じて、有機鎖延長剤を添加してもよい。前記有機鎖延長剤としては、１，４−ブタンジオール、エチレングリコール、ジエチレングリコール、１，３−ブタンジオール、ジエタノールアミン等の脂肪族短鎖ジオール、ハイドロキノンビスヒドロキシエチルエーテル等の芳香族ジオール、４，４’−ジアミノジフェニルメタン等の芳香族ジアミン、ビスフェノールＡ、ビスフェノールＦのアルキレンオキサイド付加物等が挙げられる。
【００２９】
前記有機物質としては、バーク堆肥、牛堆肥、鶏糞、稲藁、籾殻、雑草を発光・熟成させたもの、木炭、竹炭、木質チップなど、市販の一般に使用されているものを使用できる。また、前記有機物質は、一種類に限られず複数種類を使用してもよい。特にはバーク堆肥と牛堆肥の併用が好ましい。
【００３０】
さらに前記ウレタン発泡体には、前記有機物質の他に土壌成分が含まれているのが好ましい。前記土壌成分としては、黒土、赤土等を挙げることができる。前記黒土は、腐植質を含む黒色又は黒褐色の肥沃な土壌であり、それに対して前記赤土は、鉄分を多く含む赤色の粘土質の土壌をいう。特には黒土が好ましい。前記有機物質と土壌成分の重量比率は、植物の生育等の観点から８０：２０〜２０：８０、特には５０：５０が好ましい。さらに、前記植生マット１０の形成原料全体を１００重量％とした場合、前記植生マット形成原料に含まれる有機物質と土壌成分の合計重量％は、５０〜９５重量％が好ましい。
【００３１】
前記有機物質及び土壌成分が分散したウレタン発泡体は、公知のモールド成形によって製造される。すなわち、前記イソシアネート基末端プレポリマー、整泡剤、触媒、水等と共に、前記有機物質及び土壌成分を混合して混合原料を調製し、その混合原料を所要サイズの成形型内に投入して発泡させ、発泡後脱型する、いわゆるモールド成形により前記ウレタン発泡体が製造される。モールド成形することで、スキン層と言われる表皮層がウレタン発泡体の表面に形成される。そのため、保水した水が蒸発しにくい利点がある。表皮層は、ウレタン樹脂をモールド成形することによって得られるインテグラルフォームのスキン層であってもよいし、熱可塑性フィルムを成形型のキャビティに装着して一体に成形したものでもよい。なお、前記混合原料には固形肥料を所要量混合して、得られるウレタン発泡体に固形肥料３９を含むようにしてもよい。また、前記固形肥料３９は、ウレタン発泡体の所要位置に小孔を開け、その小孔に埋入してもよい。
【００３２】
また、前記植生マット１０の裏面１１には、ほぼ中央部に凹部１３が形成されている。この凹部１３は、図４に示すように、植物Ｐの根元部Ｐ１を収容するためのもので、この例では前記植生マット１０の表面１７へ向けて形成された筒状からなる。前記凹部１３のサイズは、適宜とされる。例えば、内径ｄ１を７〜１０ｃｍ、深さＬを７〜１０ｃｍにする等である。
【００３３】
前記植生マット１０の表面１７には、前記凹部１３に通じる貫通穴１９が形成されている。この貫通穴１９は、図４に示すように、植物Ｐの茎部Ｐ２を挿通して収容するためのものである。前記貫通穴１９は、適宜のサイズとされるが、図３に示すように、前記凹部１３の内径ｄ１よりも前記貫通穴１９の内径ｄ２を小にして、前記凹部１３から植物Ｐの根元部Ｐ１が植生マット１０の表面１７側へ抜けないようにし、かつ根元部Ｐ１から水分の蒸発を防ぐのが好ましい。前記貫通穴１９の内径ｄ２の例として２〜４ｃｍ程度を挙げる。
【００３４】
前記凹部１３及び貫通穴１９は、前記植生マット１０の裏面１１に対して互いに同一方向へ傾斜して設けられる。前記凹部１３及び貫通穴１９の傾斜は、図４に示すように、前記植生マット１０の裏面１１が傾斜法面４０に載置固定された際に、前記凹部１３及び前記貫通穴１９が前記裏面１１から表面１７へ向けて上向きＵとなるように形成される。このように前記凹部１３及び前記貫通穴１９を上向きＵとなるように形成しておけば、前記凹部１３及び前記貫通穴１９に根元部Ｐ１及び茎部Ｐ２の収容された植物Ｐは、上向きで法面４０に保持されることになり、植物Ｐの素直な成長に好ましいのみならず、植物Ｐの傾きによって植生マット１０が持ち上げられて法面４０との間に隙間を生じるのを防ぐことができ、植物Ｐを法面４０に根付き易くできる。
【００３５】
この実施例では、前記凹部１３及び前記貫通穴１９は、中心軸線Ｃを一致させて形成されている。前記凹部１３及び前記貫通穴１９の傾斜角度ａは、前記植生マット１０が載置される法面４０の傾斜角度ｂに応じて設定されるのが最も好ましいが、一般的には３０〜５５度の範囲に設定すれば、一般的な法面４０に前記植生マット１０を載置した場合に、前記凹部１３及び前記貫通穴１９が垂直に近づいた上向きになり易く、前記植生マット１０の汎用性が高まる。
【００３６】
また、前記植生マット１０には、一の側面２１から前記凹部１３及び前記貫通穴１９に通じる切れ込み（スリット）２３が形成されている。前記切れ込み２３は、前記植生マット１０の裏面１１から表面１７まで形成されて前記側面２１で開閉可能となっている。前記切れ込み２３は、前記植物Ｐの根元部Ｐ１及び茎部Ｐ２を前記凹部１３及び前記貫通穴１９へ収容する際に開かれる。そして、前記開かれた切れ込み２３を通って前記植物Ｐの根元部Ｐ１及び茎部Ｐ２が前記凹部１３及び前記貫通穴１９に収容された後、かすがいとして略Ｕ字形のピン３１が前記切れ込み２３の先端２３ａを跨ぐように前記側面２１に打ち込まれ、前記切れ込み２３の拡開が防止される。前記略Ｕ字形のピン３１は、かすがいとして機能するものであれば、制限なく使用でき、正確なＵ字状に限られるものではなく、コの字状等であってもよい。
【００３７】
前記植生マット１０を用いる法面の緑化方法は、次のようにして行われる。まず、前記植生マット１０は、図４及び図５に示すように、前記法面４０の植樹予定位置に搬送され、前記植生マット１０の裏面１１が前記法面４０側となるようにして前記法面４０に載置される。前記植物Ｐは、前記法面４０へ植生マット１０を載置する前あるいは載置後に前記切れ込み２３を利用して根元部Ｐ１及び茎部Ｐ２が前記植生マット１０の凹部１３及び貫通穴１９に収容される。その後に前記切れ込み２３の先端２３ａを跨ぐようにして前記かすがいとしての略Ｕ字形のピン３１が前記側面２１に打ち込まれる。前記法面４０に載置された植生マット１０は、前記切れ込み２３が横向き、すなわち前記切れ込み２３が横方向（水平方向）Ｈに伸びて切れ込み先端２３ａが植生マット１０の上下方向に位置しないようにされ、その後に下側固定用アンカーピン３３と上側固定用アンカーピン３５で前記法面４０に固定される。前記切れ込み２３の先端２３ａが上方に位置すると前記切れ込み２３に異物が侵入し易く、それにより前記切れ込み２３が開き易くなる。また前記切れ込み２３の先端２３ａが下方に位置すると、前記植物Ｐの重み等によって前記切れ込み２３が開いたり、前記根元部Ｐ２の水分が切れ込み２３を通って流出し易くなり、さらには前記植生マット１０における略Ｕ字形のピン（かすがい）３１の打ち込み部分が万一破壊されて前記切れ込み２３が開いた場合に、植物Ｐが植生マット１０から外れて落下したりするおそれがある。
【００３８】
前記植物Ｐの根元部Ｐ１は、生分解性樹脂からなるポットに収容された状態で、前記植生マット１０の凹部１３に収容されるのが好ましいが、前記ポットから外した状態で前記凹部１３に収容されてもよい。
【００３９】
前記下側固定用アンカーピン３３は、金属、樹脂等からなり、頭部３３ａがＬ字形に屈曲している。前記下側固定用アンカーピン３３は、前記植生マット１０の下面を支持するように前記法面４０に打ち込まれ、前記屈曲頭部３３ａと法面４０間で前記植生マット１０の下部を挟む。さらに図示の例は、前記下側固定用アンカーピン３３の頭部３３ａが当接する前記植生マット１０の表面と下面の境界に、断面Ｌ字形の保護用部品３４が配置され、前記保護用部品３４を介して前記下側固定用アンカーピン３３で前記植生マット１０の下部が支持固定される。
【００４０】
前記上側固定用アンカーピン３５は、前記下側固定用アンカーピン３３と同様に頭部３５ａがＬ字形に屈曲した形状からなり、前記植生マット１０の上部表面１７から前記法面４０に打ち込まれる。さらにこの実施例では、前記上側固定用アンカーピン３５が打ち込まれる前記植生マット１０の表面１７には、ワッシャ３６が配置され、前記ワッシャ３６を介して前記植生マット１０の上部が前記上側固定用アンカーピン３５の頭部３５ａで押圧される。なお、前記植生マット１０の法面４０への固定方法は、前記の方法に限られるものではない。例えば前記植生マット１０の下部については、前記下側アンカーピン３３を、前記植生マット１０の下部表面１７から前記法面４０に打ち込んで固定してもよい。
【００４１】
【実施例】
整泡剤（レンデル社製、ＢＲＩＪ５８）の１重量部を水１００重量部に添加した整泡剤含有水を、１２００ｇ用意する。一方、イソシアネート基末端プレポリマーとして、レンデル社製、ＯＰＴＩＰＯＬ、１１６０ｇ用意し、有機物質としてバーク堆肥１４００ｇ、土壌成分として黒土１４００ｇを用意し、混合攪拌して混合原料を調製した。この混合原料と前記整泡剤を含有する水を、ともに２５℃に温調し、注入機で混合攪拌し、４０℃に加温した成形型（内面寸法：４０ｃｍ×４０ｃｍ×１０ｃｍ）内に速やかに全量充填し、常温で乾燥して３６００ｇのウレタン発泡体を製造した。２８００÷３６００×１００＝７７．７％が、前記ウレタン発泡体にしめる有機物質の比率である。なお、前記成形型は下型と上型とよりなり、前記上型内面には前記植生マット１０の凹部１３及び貫通穴１９を形成するための段形状の突部が設けられていて、前記脱型されたウレタン発泡体に、前記凹部１３と貫通穴１９が一連に形成されている。前記成形型の突部は、前記凹部１３に対応する部分の径が８ｃｍ、前記貫通穴１９に対応する部分の径が２ｃｍである。また、前記上型内面における前記突部の傾斜角度（前記傾斜角度ａに対応する角度）は４５度、前記凹部１３の深さＬに相当する長さは８ｃｍである。
【００４２】
前記のようにして得られたウレタン発泡体の一側面２１から前記凹部１３及び貫通穴１９に至る前記切れ込み２３をカッターで形成して、図１と同様の植生マット１０を得た。
【００４３】
さらに、前記植生マット１０の側面に小孔を２個開けて、その小孔に粒状固形肥料をそれぞれ１個収容した。
【００４４】
【発明の効果】
以上図示し説明したように、この発明の植生マットは、ウレタン発泡体に有機物質が分散したものからなるため、従来の植生袋（土嚢）に比べて極めて軽量であり、急勾配の法面に対しても作業が容易になる。
【００４５】
また、前記ウレタン発泡体が、イソシアネート基末端プレポリマーを水と反応させて得られたものであるため、植生マットの保水性が良好になり、植物に対する給水不足を生じ難くなって、植物の根付き率を高めることができる。
【００４６】
さらに、前記ウレタン発泡体に、有機物質と土壌成分が８０：２０〜２０：８０の重量比率で含まれるようにすれば、植物の生育に一層適した植生マットになる。
【００４７】
また、前記植生マットの裏面には凹部を設け、前記植生マットの表面には前記凹部に通じる貫通穴を設ければ、前記凹部に植物の根元部を収容し、前記貫通穴に植物の茎部を収容することができるため、植物の根元部を確実かつ容易に植生マットで覆うことができ、植物の根元部の乾燥を防ぐことができると共に植物を法面に保持するのが容易になる。
【００４８】
さらに、前記貫通穴の内径を前記凹部の内径よりも小にすれば、植物の根元部を確実に植生マットで覆うことができると共に植物を植生マットから外れにくくでき、一層確実に法面に保持することができるようになる。
【００４９】
また、前記植生マットの側面から前記凹部及び前記貫通穴に通じる切れ込みを形成すれば、前記切れ込みを利用して植物の根元部及び茎部を前記凹部及び前記貫通穴に収容することができ、植生マットへの植物のセットが容易になる。
【００５０】
また、前記凹部及び前記貫通穴を、前記植生マットの裏面に対し互いに同一方向へ傾斜させて設ければ、前記植生マットを傾斜法面に載置する際に前記凹部及び前記貫通穴を上向きにすることができ、植物の良好な生育を確保することができる。
【００５１】
さらに、前記貫通穴へ植物の茎部を収容後及び前記凹部へ植物の根元部を収容後に、前記切れ込みの先端を跨ぐようにして側面にかすがいを打ち込むようにすれば、前記植生マットを法面に載置固定後、前記切れ込みが拡開して植物が落下したり、植物の根元部が乾燥したりするのを防止することができる。
【００５２】
また、この発明の法面の緑化方法によれば、前記軽量な植生マットを、前記植生マットの裏面が法面側となるようにし、前記植生マットで植物の根元が覆われるようにして前記法面に載置し固定するため、急勾配の法面に対する作業が従来よりも容易に行えるようになる。
【図面の簡単な説明】
【図１】この発明に係る一実施形態の植生マットの斜視図である。
【図２】図１の２−２切断端面図である。
【図３】図１の３−３切断端面図である。
【図４】図１の植生マットを法面に載置固定した状態の断面図である。
【図５】図４の載置固定状態における植生マットを示す斜視図である。
【符号の説明】
１０  植生マット
１１  裏面
１３  凹部
１７  表面
１９  貫通穴
２１  側面
２３  切れ込み
３１  略Ｕ字形のピン（かすがい）
３３  下側固定用アンカーピン
３４  保護用部品
３５  上側固定用アンカーピン
３６  ワッシャ
４０  法面
ａ  凹部
【図１】
2004229505.tif 000003
【図２】
2004229505.tif 000004
【図３】
2004229505.tif 000005
【図４】
2004229505.tif 000006
【図５】
2004229505.tif 000007
【手続補正書】
【提出日】平成15年2月5日(2003.2.5)
【手続補正１】
【補正対象書類名】明細書
【補正対象項目名】００２９
【補正方法】変更
【補正の内容】
【００２９】
前記有機物質としては、バーク堆肥、牛堆肥、鶏糞、稲藁、籾殻、雑草を発酵・熟成させたもの、木炭、竹炭、木質チップなど、市販の一般に使用されているものを使用できる。また、前記有機物質は、一種類に限られず複数種類を使用してもよい。特にはバーク堆肥と牛堆肥の併用が好ましい。